(57)【要約】【課題】  サイマル放送として放送される放送波を受信し、適切な受信処理を行う。【解決手段】  アナログ放送処理部１３１Ａが、アナログ放送成分に対する再生処理を行い、アナログ放送処理信号ＡＢＤを生成する。また、デジタル放送処理部１３２Ａが、デジタル放送成分に対する再生処理を行い、デジタル放送処理信号ＤＢＤを生成するとともに、デジタル放送波の受信品質を示すビットエラー率ＢＥＲを検出する。そして、レベル検出部１３３が、アナログ放送処理信号ＡＢＤのレベル値ＡＬＶ、及び、デジタル放送処理信号ＤＢＤのレベル値ＤＬＶを検出する。制御ユニット１９０Ａは、ビットエラー率ＢＥＲに基づいてデジタル放送波の受信品質を評価し、受信品質が良好であり、かつ、レベル値ＤＬＶがレベル値ＡＬＶに比べて、所定割合以上低下していないときに、再生出力する放送としてデジタル放送を選択する。【選択図】  図２
2014204189.tif 000002
【特許請求の範囲】
【請求項１】
第１放送に関する第１放送波の受信処理を行って、第１再生信号を生成する第１生成部と；
第２放送に関する第２放送波の受信処理を行って、第２再生信号を生成する第２生成部と；
前記第１再生信号及び前記第２再生信号の一方を出力する出力部と；
前記第１再生信号及び前記第２再生信号のレベルを検出する第１検出部と；
前記第１放送波の受信品質を検出する第２検出部と；
前記第１検出部及び前記第２検出部の検出結果に基づいて、前記出力部を制御する制御部と；
を備えることを特徴とする放送受信装置。
【請求項２】
前記制御部は、前記第１放送波の受信品質が良好であり、かつ、前記第１再生信号のレベルが前記第２再生信号のレベルよりも所定割合以上、低下していないという条件を満たす場合には、前記出力部が前記第１再生信号を出力するように制御する、ことを特徴とする請求項１に記載の放送受信装置。
【請求項３】
前記第１再生信号と前記第２再生信号との相関の有無を検出する第３検出部を更に備え、
前記制御部は、前記条件を満たし、かつ、前記第１再生信号と前記第２再生信号とが所定以上の相関を有する場合に、前記出力部が前記第１再生信号を出力するように制御する、
ことを特徴とする請求項２に記載の放送受信装置。
【請求項４】
前記制御部は、前記第１再生信号のレベルが前記第２再生信号のレベルに対応して定まる所定範囲内にあるという条件が成立しているが、前記第１放送波の受信品質が良好でない場合には、前記出力部が前記第２再生信号を出力するように制御する、ことを特徴とする請求項１に記載の放送受信装置。
【請求項５】
前記第１再生信号と前記第２再生信号との相関の有無を検出する第３検出部を更に備え、
前記制御部は、前記条件が成立し、かつ、前記第１再生信号と前記第２再生信号とが所定以上の相関を有しているが、前記第１放送波の受信品質が良好でない場合には、前記出力部が前記第２再生信号を出力するように制御する、
ことを特徴とする請求項４に記載の放送受信装置。
【請求項６】
前記第１放送はデジタル音声放送であり、前記第２放送はアナログ音声放送である、ことを特徴とする請求項１〜５のいずれか一項に記載の放送受信装置。
【請求項７】
第１放送に関する第１放送波の受信処理を行って、第１再生信号を生成する第１生成部と；第２放送に関する第２放送波の受信処理を行って、第２再生信号を生成する第２生成部と；前記第１再生信号及び前記第２再生信号の一方を出力する出力部と；を備える放送受信装置において使用される放送受信方法であって、
前記第１再生信号及び前記第２再生信号のレベルを取得する第１取得工程と；
前記第１放送波の受信品質を取得する第２取得工程と；
前記第１取得工程及び前記第２取得工程において取得された取得結果に基づいて、前記出力部を制御する制御工程と；
を備えることを特徴とする放送受信方法。
【請求項８】
第１放送に関する第１放送波、及び、第２放送に関する第２放送波を受信する放送受信装置が有するコンピュータに、請求項７に記載の放送受信方法を実行させる、ことを特徴とする放送受信プログラム。
【請求項９】
第１放送に関する第１放送波、及び、第２放送に関する第２放送波を受信する放送受信装置が有するコンピュータにより読み取り可能に、請求項８に記載の放送受信プログラムが記録されている、ことを特徴とする記録媒体。
【発明の詳細な説明】
【技術分野】
【０００１】
本発明は、放送受信装置、放送受信方法、放送受信プログラム、及び、当該放送受信プログラムが記録された記録媒体に関する。
【背景技術】
【０００２】
従来から、ラジオ放送波を受信して、放送内容を再生するラジオ受信装置が広く普及している。こうしたラジオ放送としては、アナログ放送が伝統的に採用されてきたが、最近においては、デジタル放送の採用が進行している。こうしたデジタル放送の採用に伴い、ラジオ放送においては、アナログ放送及びデジタル放送によるサイマル放送が、行われるようになってきている。
【０００３】
かかるサイマル放送の一例として、米国で採用されているＩＢＯＣ（In-Band On-Channel）方式によるものがある。ＩＢＯＣ方式では、ハイブリッド伝送を採用して、ＡＭ／ＦＭアナログラジオ放送の周波数を利用し、アナログラジオ放送と同時に、デジタルラジオ放送を伝送する。そして、アナログラジオ放送で放送する放送番組を、同時に、ＩＢＯＣ方式のデジタルラジオ放送である高音質のＨＤ（Hybrid Digital）ラジオ放送で放送することで、ＩＢＯＣ方式におけるサイマル放送を実現している。ここで、ＩＢＯＣ方式のハイブリッド伝送では、アナログラジオ放送搬送波に隣接した両側の周波数帯域にデジタルラジオ放送搬送波を配置するようになっている。
【０００４】
また、かかるサイマル放送の他例として、欧州等で広く採用されているＤＡＢ（Digital Audio Broadcasting）方式によるデジタルラジオ放送と、アナログラジオ放送とを利用したものがある。このＤＡＢ方式を利用したサイマル放送は、ＤＡＢ方式の高音質のデジタルラジオ放送を放送する放送局が、デジタルラジオ放送の補完として、当該デジタルラジオ放送で放送する放送番組を、同時に、アナログラジオ放送でも放送することにより実現されている。
【０００５】
こうしたサイマル放送を受信可能な車載用の放送受信装置について、デジタルラジオ放送の音声再生とアナログラジオ放送の音声再生とを切り替える技術が提案されている（特許文献１参照：以下、「従来例」と呼ぶ）。この従来例の技術では、ＩＢＯＣ方式のサイマル放送を受信するに際して、デジタルラジオ放送波の受信品質を監視する。そして、デジタルラジオ放送波の受信品質が所定の閾値以上の状態においては、デジタルラジオ放送の音声再生を行う。一方、デジタルラジオ放送波の受信品質が所定の閾値よりも小さくなると、アナログラジオ放送の音声再生に切り替えるようになっている。
【先行技術文献】
【特許文献】
【０００６】
【特許文献１】特開２０１２−１９５９０５号公報
【発明の概要】
【発明が解決しようとする課題】
【０００７】
上述したように、アナログラジオ放送及びデジタルラジオ放送によるサイマル放送は、最近におけるデジタルラジオ放送の採用の進行に伴い行われるようになってきた。こうした事情から、サイマル放送を放送する放送局側の誤りにより、アナログラジオ放送とデジタルラジオ放送とで、放送番組の内容が異なってしまうことがある。また、放送局側の誤りにより、アナログラジオ放送の再生結果が有音であるのに対して、デジタルラジオ放送の再生結果が無音となってしまうこともある。
【０００８】
しかしながら、従来例の技術では、こうした不具合への対策を何等、講じていない。このため、従来例の技術の放送受信装置で、アナログラジオ放送とデジタルラジオ放送とでサイマルとなっていない放送波を受信した際には、デジタルラジオ放送の再生出力からアナログラジオ放送の再生出力へと切り替えた時、又は、アナログラジオ放送の再生出力からデジタルラジオ放送の再生出力へと切り替えた時に、異なる内容の再生音声に切り替わったり、有音状態から無音状態になることがある。こうした事態の発生は、ラジオ放送の聴取者に対して、聴感上の大きな違和感を与えることになる。
【０００９】
このため、送信側の不具合によりアナログラジオ放送とデジタルラジオ放送とでサイマルとなっていない放送を受信処理した際に、異なる内容の音声再生、無音状態の出現等による聴取者の聴感上の違和感を無くすことができる技術が望まれている。かかる要請に応えることが、本発明が解決すべき課題の一つとして挙げられる。
【００１０】
本発明は、上記の事情を鑑みてなされたものであり、サイマル放送として放送される放送波を受信し、適切な受信処理を行うことができる新たな放送受信装置及び放送受信方法を提供することを目的とする。
【課題を解決するための手段】
【００１１】
請求項１に記載の発明は、第１放送に関する第１放送波の受信処理を行って、第１再生信号を生成する第１生成部と；第２放送に関する第２放送波の受信処理を行って、第２再生信号を生成する第２生成部と；前記第１再生信号及び前記第２再生信号の一方を出力する出力部と；前記第１再生信号及び前記第２再生信号のレベルを検出する第１検出部と；前記第１放送波の受信品質を検出する第２検出部と；前記第１検出部及び前記第２検出部の検出結果に基づいて、前記出力部を制御する制御部と；を備えることを特徴とする放送受信装置である。
【００１２】
請求項７に記載の発明は、第１放送に関する第１放送波の受信処理を行って、第１再生信号を生成する第１生成部と；第２放送に関する第２放送波の受信処理を行って、第２再生信号を生成する第２生成部と；前記第１再生信号及び前記第２再生信号の一方を出力する出力部と；を備える放送受信装置において使用される放送受信方法であって、前記第１再生信号及び前記第２再生信号のレベルを取得する第１取得工程と；前記第１放送波の受信品質を取得する第２取得工程と；前記第１取得工程及び前記第２取得工程において取得された取得結果に基づいて、前記出力部を制御する制御工程と；を備えることを特徴とする放送受信方法である。
【００１３】
請求項８に記載の発明は、第１放送に関する第１放送波、及び、第２放送に関する第２放送波を受信する放送受信装置が有するコンピュータに、請求項７に記載の放送受信方法を実行させる、ことを特徴とする放送受信プログラムである。
【００１４】
請求項９に記載の発明は、第１放送に関する第１放送波、及び、第２放送に関する第２放送波を受信する放送受信装置が有するコンピュータにより読み取り可能に、請求項８に記載の放送受信プログラムが記録されている、ことを特徴とする記録媒体である。
【図面の簡単な説明】
【００１５】
【図１】本発明の第１実施形態に係る放送受信装置の構成を概略的に示すブロック図である。
【図２】図１の再生処理ユニットの構成を示すブロック図である。
【図３】図１の装置による再生出力選択制御処理を説明するためのフローチャートである。
【図４】本発明の第２実施形態に係る放送受信装置の構成を概略的に示すブロック図である。
【図５】図４の再生処理ユニットの構成を示すブロック図である。
【図６】図４の装置による再生出力選択制御処理を説明するためのフローチャートである。
【図７】本発明の第３実施形態に係る放送受信装置の構成を概略的に示すブロック図である。
【図８】図７の再生処理ユニットの構成を示すブロック図である。
【図９】図７の装置による再生出力選択制御処理を説明するためのフローチャートである。
【発明を実施するための形態】
【００１６】
以下、本発明の実施形態を、添付図面を参照して説明する。なお、以下の説明及び図面においては、同一又は同等の要素には同一の符号を付し、重複する説明を省略する。
【００１７】
［第１実施形態］
まず、本発明の第１実施形態を、図１〜図３を参照して説明する。
【００１８】
＜構成＞
図１には、第１実施形態に係る放送受信装置１００Ａの概略的な構成がブロック図にて示されている。第１実施形態では、車両内に配置され、ＩＢＯＣ方式の規格に準拠したアナログ／デジタルラジオ放送波を受信して処理する放送受信装置を例示して説明する。
【００１９】
図１に示されるように、放送受信装置１００Ａは、アンテナ１１０Ａと、ＲＦ処理ユニット１２０Ａと、再生処理ユニット１３０Ａとを備えている。また、放送受信装置１００Ａは、アナログ処理ユニット１４０と、スピーカユニット１５０と、入力ユニット１８０とを備えている。さらに、放送受信装置１００Ａは、制御ユニット１９０Ａを備えている。
【００２０】
上記のアンテナ１１０Ａは、放送局から送信されているＩＢＯＣ方式の規格に準拠した放送波を受信する。この放送波には、サイマル放送として放送されるアナログ放送波とデジタル放送波とが含まれている。アンテナ１１０Ａによる受信信号ＲＦＳAは、ＲＦ処理ユニット１２０Ａへ送られる。
【００２１】
第１実施形態では、デジタル放送波が第１放送波に対応し、アナログ放送波が第２放送波に対応している。
【００２２】
上記のＲＦ処理ユニット１２０Ａは、アンテナ１１０Ａから送られたアナログ放送波とデジタル放送波とが含まれている放送波の受信信号ＲＦＳAを受ける。ＲＦ処理ユニット１２０Ａは、制御ユニット１９０Ａから送られたサイマル放送の選局指令ＣＳＬAに従って、選局すべき希望放送局の信号を受信信号ＲＦＳAから抽出する選局処理を行い、所定の中間周波数帯の成分を有する中間周波信号ＩＦＤAに変換する。こうして得られた中間周波信号ＩＦＤA（以下、単に「信号ＩＦＤA」とも記す）は、再生処理ユニット１３０Ａで送られる。ここで、信号ＩＦＤAは、デジタル信号となっている。
【００２３】
上記の再生処理ユニット１３０Ａは、ＲＦ処理ユニット１２０Ａから送られる信号ＩＦＤAを受ける。そして、再生処理ユニット１３０Ａは、信号ＩＦＤAにおけるアナログ放送成分に対する再生処理を行うとともに、信号ＩＦＤAにおけるデジタル放送成分に対する再生処理を行う。引き続き、再生処理ユニット１３０Ａは、制御ユニット１９０Ａによる制御のもとで、アナログ放送波の再生信号及びデジタル放送波の再生信号のいずれか一方を、信号ＢＰＤとして、アナログ処理ユニット１４０へ供給する。ここで、信号ＢＰＤは、レフトチャンネル（以下、「Ｌチャンネル」）信号及びライトチャンネル（以下、「Ｒチャンネル」）信号の２つの信号から構成されている。
【００２４】
再生処理ユニット１３０Ａの構成の詳細については、後述する。
【００２５】
上記のアナログ処理ユニット１４０は、再生処理ユニット１３０Ａから送られた信号ＢＰＤを受ける。そして、アナログ処理ユニット１４０は、制御ユニット１９０Ａによる制御のもとで、出力音声信号ＡＯＳを生成して、スピーカユニット１５０へ送る。
【００２６】
かかる機能を有するアナログ処理ユニット１４０は、ＤＡ（Digital to Analogue）変換部と、音量調整部と、パワー増幅部とを備えて構成されている。ここで、ＤＡ変換部は、再生処理ユニット１３０Ａから送られた信号ＢＰＤを受ける。そして、ＤＡ変換部は、信号ＢＰＤをアナログ信号に変換する。なお、ＤＡ変換部は、信号ＢＰＤに含まれるＬチャンネル信号及びＲチャンネル信号に対応して、互いに同様に構成された２個のＤＡ変換器を備えている。ＤＡ変換部によるアナログ変換結果の信号は、音量調整部へ送られる。
【００２７】
音量調整部は、ＤＡ変換部から送られたＬチャンネル及びＲチャンネルのアナログ変換結果の信号を受ける。そして、音量調整部は、制御ユニット１９０Ａから送られた音量調整指令ＶＬＣに従って、Ｌチャンネル及びＲチャンネルのそれぞれに対応するアナログ変換結果の信号に対して音量調整処理を施す。なお、音量調整部は、Ｌチャンネル及びＲチャンネルに対応して、互いに同様に構成された２個の電子ボリューム素子等を備えて構成されている。音量調整部による音量調整結果の信号は、パワー増幅部へ送られる。
【００２８】
パワー増幅部は、音量調整部から送られたＬチャンネル及びＲチャンネルの音量調整結果の信号を受ける。そして、パワー増幅部は、音量調整結果の信号をパワー増幅する。なお、パワー増幅部は、Ｌチャンネル及びＲチャンネルに対応して、互いに同様に構成された２個のパワー増幅器を備えている。パワー増幅部による増幅結果である出力音声信号ＡＯＳは、スピーカユニット１５０へ送られる。
【００２９】
上記のスピーカユニット１５０は、Ｌチャンネルスピーカ及びＲチャンネルスピーカを備えている。このスピーカユニット１５０は、アナログ処理ユニット１４０から送られた出力音声信号ＡＯＳに従って、音声を再生出力する。
【００３０】
上記の入力ユニット１８０は、放送受信装置１００Ａの本体部に設けられたキー部、あるいはキー部を備えるリモート入力装置等により構成される。ここで、本体部に設けられたキー部としては、不図示の表示ユニットに設けられたタッチパネルを用いることができる。また、キー部を有する構成に代えて、音声入力する構成を採用することもできる。入力ユニット１８０への入力結果は、入力データＩＰＤとして制御ユニット１９０Ａへ送られる。
【００３１】
上記の制御ユニット１９０Ａは、放送受信装置１００Ａの全体を制御する。この制御ユニット１９０Ａは、入力ユニット１８０から送られた入力データＩＰＤの内容が選局指定であった場合には、指定された希望放送局に対応する選局指令ＣＳＬAを生成して、ＲＦ処理ユニット１２０Ａへ送る。また、入力データＩＰＤの内容が音量調整指定であった場合には、制御ユニット１９０Ａは、指定された音量調整指定に対応する音量調整指令ＶＬＣを生成して、アナログ処理ユニット１４０へ送る。
【００３２】
制御ユニット１９０Ａは、デジタル放送波の受信品質を示すビットエラー率ＢＥＲを、再生処理ユニット１３０Ａから受ける。また、制御ユニット１９０Ａは、再生処理ユニット１３０Ａから送られたアナログ放送処理信号のレベル値ＡＬＶ及びデジタル放送処理信号のレベル値ＤＬＶを受ける。そして、制御ユニット１９０Ａは、ビットエラー率ＢＥＲ、レベル値ＡＬＶ，ＤＬＶに基づいて、放送選択制御指令ＢＳＬを生成して再生処理ユニット１３０Ａへ送ることにより、再生出力選択制御を行う。
【００３３】
すなわち、制御ユニット１９０Ａは、制御部の機能を果たすようになっている。制御ユニット１９０Ａが実行する再生出力選択制御の処理の詳細については、後述する。
【００３４】
《再生処理ユニット１３０Ａの構成》
次に、再生処理ユニット１３０Ａの構成について説明する。
【００３５】
再生処理ユニット１３０Ａは、図２に示されるように、アナログ放送処理部１３１Ａと、デジタル放送処理部１３２Ａと、レベル検出部１３３と、選択部１３５とを備えている。
【００３６】
上記のアナログ放送処理部１３１Ａは、ＲＦ処理ユニット１２０Ａから送られた信号ＩＦＤAを受ける。そして、アナログ放送処理部１３１Ａは、信号ＩＦＤAにおけるアナログ放送成分に対する再生処理を行う。アナログ放送処理部１３１Ａによる再生処理結果は、アナログ放送処理信号ＡＢＤ（以下、「アナログ放送信号」又は、単に「信号ＡＢＤ」とも記す）として、選択部１３５及びレベル検出部１３３へ送られる。
【００３７】
かかる機能を有するアナログ放送処理部１３１Ａは、検波部と、ステレオ復調部とを備えている（いずれも不図示）。
【００３８】
検波部は、ＲＦ処理ユニット１２０Ａから送られた信号ＩＦＤAを受ける。そして、検波部は、信号ＩＦＤAにおけるアナログ放送成分の周波数帯域の信号成分に対して、所定の方式で検波処理を施して、検波信号を生成する。こうして生成された検波信号は、ステレオ復調部へ送られる。
【００３９】
ステレオ復調部は、検波部から送られた検波信号を受ける。そして、ステレオ復調部は、検波信号に対してステレオ復調処理を施し、信号ＡＢＤを生成する。ステレオ復調部は、生成された信号ＡＢＤ（第２再生信号）を、選択部１３５及びレベル検出部１３３へ送る。なお、信号ＡＢＤは、Ｌチャンネル信号及びＲチャンネル信号の２つの信号から構成されている。
【００４０】
このように、アナログ放送処理部１３１Ａは、第２生成部の機能を果たすようになっている。
【００４１】
上記のデジタル放送処理部１３２Ａは、ＲＦ処理ユニット１２０Ａから送られた信号ＩＦＤAを受ける。そして、デジタル放送処理部１３２Ａは、信号ＩＦＤAにおけるデジタル放送成分に対する再生処理を行う。デジタル放送処理部１３２Ａによる再生処理結果は、デジタル放送処理信号ＤＢＤ（以下、「デジタル放送信号」又は、単に「信号ＤＢＤ」とも記す）として、選択部１３５及びレベル検出部１３３へ送られる。
【００４２】
かかる機能を有するデジタル放送処理部１３２Ａは、ＯＦＤＭ（Orthogonal Frequency Division Multiplex）復調部と、デコード部とを備えている（いずれも不図示）。
【００４３】
ＯＦＤＭ復調部は、ＲＦ処理ユニット１２０Ａから送られた信号ＩＦＤAを受ける。そして、ＯＦＤＭ復調部は、信号ＩＦＤAにおけるデジタル放送成分の周波数帯域の信号成分に対して、ＯＦＤＭ復調処理を施して、ＯＦＤＭ復調信号を生成する。こうして生成されたＯＦＤＭ復調信号は、デコード部へ送られる。
【００４４】
デコード部は、ＯＦＤＭ復調部から送られたＯＦＤＭ復調信号を受ける。そして、デコード部は、ＯＦＤＭ復調信号に対して復号処理を行う。この復号に際して、デコード部は、ＯＦＤＭ復調信号に対して符号の誤り検出を行ったうえで誤り訂正を行う。デコード部は、当該誤り訂正の結果に含まれる音声の復号結果を、信号ＤＢＤ（第１再生信号）として、選択部１３５及びレベル検出部１３３へ送る。また、デコード部は、当該誤り検出の結果であるビットエラー率（符号誤り率）ＢＥＲを、制御ユニット１９０Ａへ送る。なお、信号ＤＢＤは、Ｌチャンネル信号及びＲチャンネル信号の２つの信号から構成されている。
【００４５】
このように、デジタル放送処理部１３２Ａは、第１生成部及び第２検出部の機能を果たすようになっている。
【００４６】
上記のレベル検出部１３３は、アナログ放送処理部１３１Ａから送られた信号ＡＢＤを受ける。そして、レベル検出部１３３は、信号ＡＢＤのパワーレベルを検出する。検出された信号ＡＢＤの信号レベルは、レベル値ＡＬＶとして、制御ユニット１９０Ａへ送られる。
【００４７】
また、レベル検出部１３３は、デジタル放送処理部１３２Ａから送られた信号ＤＢＤを受ける。そして、レベル検出部１３３は、信号ＤＢＤのパワーレベルを検出する。検出された信号ＤＢＤの信号レベルは、レベル値ＤＬＶとして、制御ユニット１９０Ａへ送られる。すなわち、レベル検出部１３３は、第１検出部の機能を果たすようになっている。
【００４８】
上記の選択部１３５は、アナログ放送処理部１３１Ａから送られた信号ＡＢＤ及びデジタル放送処理部１３２Ａから送られた信号ＤＢＤを受ける。そして、選択部１３５は、制御ユニット１９０Ａから送られた放送選択制御指令ＢＳＬに従って、信号ＡＢＤ及び信号ＤＢＤのいずれか一方を選択し、選択信号ＢＰＤ（以下、「信号ＢＰＤ」と呼ぶ）として、アナログ処理ユニット１４０へ送られる。
【００４９】
ここで、選択部１３５は、制御ユニット１９０Ａから送られた放送選択制御指令ＢＳＬによりアナログ放送波の再生信号を選択すべきことが指定された場合には、信号ＡＢＤを選択する。また、選択部１３５は、制御ユニット１９０Ａから送られた放送選択制御指令ＢＳＬによりデジタル放送波の再生信号を選択すべきことが指定された場合には、信号ＤＢＤを選択する。すなわち、選択部１３５は、出力部の機能を果たすようになっている。
【００５０】
＜動作＞
以上のようにして構成された放送受信装置１００Ａの動作について、制御ユニット１９０Ａによる再生出力放送の選択制御処理に主に着目して説明する。
【００５１】
なお、第１実施形態では、サイマル放送を行っているとされるアナログ放送とデジタル放送とで、放送番組の内容が異なっている場合には、アナログ放送の内容が正しく、放送局側の誤りによりデジタル放送の内容が間違っているものとする。
【００５２】
かかる再生出力放送の選択制御処理は、利用者による「サイマル放送を行っているとされる希望放送局」を指定した選局指定の入力ユニット１８０への入力に対応して開始される。こうして希望放送局を指定した選局指定が入力ユニット１８０へ入力されると、制御ユニット１９０Ａは、希望放送局に対応する選局指令ＣＳＬAを生成して、ＲＦ処理ユニット１２０Ａへ送る（図１参照）。
【００５３】
ＲＦ処理ユニット１２０Ａは、当該選局指令ＣＳＬAを受けると、希望放送局の信号を受信信号ＲＦＳAから抽出する選局処理を行い、所定の中間周波数帯の成分を有する信号ＩＦＤAに変換する。そして、ＲＦ処理ユニット１２０Ａは、当該信号ＩＦＤAを、再生処理ユニット１３０Ａのアナログ放送処理部１３１Ａ及びデジタル放送処理部１３２Ａへ送る（図２参照）。
【００５４】
アナログ放送処理部１３１Ａは、ＲＦ処理ユニット１２０Ａから送られた信号ＩＦＤAにおけるアナログ放送成分に対する再生処理を行い、信号ＡＢＤを生成する。そして、アナログ放送処理部１３１Ａは、生成された信号ＡＢＤを、選択部１３５及びレベル検出部１３３へ送る（図２参照）。
【００５５】
また、デジタル放送処理部１３２Ａは、ＲＦ処理ユニット１２０Ａから送られた信号ＩＦＤAにおけるデジタル放送成分に対する再生処理を行い、ビットエラー率ＢＥＲを検出するとともに、信号ＤＢＤを生成する。そして、デジタル放送処理部１３２Ａは、生成された信号ＤＢＤを、選択部１３５及びレベル検出部１３３へ送るとともに、検出されたビットエラー率ＢＥＲを、制御ユニット１９０Ａへ送る（図２参照）。
【００５６】
また、レベル検出部１３３では、アナログ放送処理部１３１Ａから送られた信号ＡＢＤのパワーレベルを検出して、レベル値ＡＬＶを制御ユニット１９０Ａへ送るとともに、デジタル放送処理部１３２Ａから送られた信号ＤＢＤのパワーレベルを検出して、レベル値ＤＬＶを制御ユニット１９０Ａへ送る（図２参照）。
【００５７】
このような状況のもとで、図３に示されるように、まず、ステップＳ１１において、制御ユニット１９０Ａが、デジタル放送処理部１３２Ａから送られたビットエラー率ＢＥＲに基づいて、デジタル放送波の受信品質を評価する。そして、制御ユニット１９０Ａは、デジタル放送波の受信品質が所定の値以上であるか否かを判断することにより、デジタル放送波の受信品質が良好であるか否かを判定する。この判定の結果が肯定的であった場合（ステップＳ１１：Ｙ）には、処理はステップＳ１２へ進む。
【００５８】
ステップＳ１２では、制御ユニット１９０Ａが、レベル検出部１３３から送られたレベル値ＡＬＶ，ＤＬＶに基づいて、デジタル放送処理信号ＤＢＤのレベルが、アナログ放送処理信号ＡＢＤのレベルに比べて、所定割合以上、低下していないか否かを判断することにより、デジタル放送が「有音」状態（「無音」でない）であるか否かを判定する。この判定の結果が肯定的であった場合（ステップＳ１２：Ｙ）、すなわち、デジタル放送が「有音」状態である場合には、処理はステップＳ１４へ進む。
【００５９】
ここで、「所定割合」は、デジタル放送の再生結果が「無音」でないか否かを判断する観点から、実験、シミュレーション、経験等に基づいて、予め定められる。
【００６０】
ステップＳ１４では、制御ユニット１９０Ａが、現時点の再生出力放送の選択が「デジタル放送」であるか否かを判定する。この判定の結果が否定的であった場合（ステップＳ１４：Ｎ）には、処理はステップＳ１５へ進む。このステップＳ１５では、制御ユニット１９０Ａが、再生出力する放送として「デジタル放送」を選択する。かかる「デジタル放送」の選択制御に際して、制御ユニット１９０Ａは、信号ＤＢＤを選択すべき旨の放送選択制御指令ＢＳＬを生成して、選択部１３５へ送る。この結果が、デジタル放送に基づく再生音声が、スピーカユニット１５０から出力される。この後、処理はステップＳ１１へ戻る。また、ステップＳ１４における判定の結果が肯定的であった場合（ステップＳ１４：Ｙ）にも、処理はステップＳ１１へ戻る。
【００６１】
一方、上述したステップＳ１１における判定の結果が否定的であった場合（ステップＳ１１：Ｎ）、すなわち、デジタル放送波の受信品質が良好でない場合には、処理はステップＳ１６へ進む。また、上述したステップＳ１２における判定の結果が否定的であった場合（ステップＳ１２：Ｎ）、すなわち、デジタル放送波の受信品質は良好ではあるが、デジタル放送が「無音」である場合にも、処理はステップＳ１６へ進む。
【００６２】
ステップＳ１６では、制御ユニット１９０Ａが、現時点の再生出力放送の選択が「アナログ放送」であるか否かを判定する。この判定の結果が否定的であった場合（ステップＳ１６：Ｎ）には、処理はステップＳ１７へ進む。このステップＳ１７では、制御ユニット１９０Ａが、再生出力する放送として「アナログ放送」を選択する。かかる「アナログ放送」の選択制御に際して、制御ユニット１９０Ａは、信号ＡＢＤを選択すべき旨の放送選択制御指令ＢＳＬを生成して、選択部１３５へ送る。この結果が、アナログ放送に基づく再生音声が、スピーカユニット１５０から出力される。この後、処理はステップＳ１１へ戻る。また、ステップＳ１６における判定の結果が肯定的であった場合（ステップＳ１６：Ｙ）にも、処理はステップＳ１１へ戻る。
【００６３】
以後、上記のステップＳ１１〜Ｓ１７の処理が繰り返されて、第１実施形態における再生出力放送の選択制御処理が行われる。
【００６４】
以上説明したように、第１実施形態では、アンテナ１１０Ａが、ＩＢＯＣ方式の規格に準拠したアナログ／デジタルラジオ放送波を受信する。そして、アナログ放送処理部１３１Ａが、アナログ放送成分に対する再生処理を行い、アナログ放送処理信号ＡＢＤを生成する。また、デジタル放送処理部１３２Ａが、デジタル放送成分に対する再生処理を行い、デジタル放送処理信号ＤＢＤを生成するとともに、デジタル放送波の受信品質を示すビットエラー率ＢＥＲを検出する。そして、レベル検出部１３３が、アナログ放送処理信号ＡＢＤのレベル値ＡＬＶ、及び、デジタル放送処理信号ＤＢＤのレベル値ＤＬＶを検出する。
【００６５】
このような状況のもとで、制御ユニット１９０Ａが、ビットエラー率ＢＥＲに基づいて、デジタル放送波の受信品質を評価する。そして、制御ユニット１９０Ａは、（ｉ）デジタル放送波の受信品質が良好であり、かつ、（ii）デジタル放送処理信号ＤＢＤのレベル値ＤＬＶが、アナログ放送処理信号ＡＢＤのレベル値ＡＬＶに比べて、所定割合以上、低下していないときには、再生出力する放送として「デジタル放送」を選択する。
【００６６】
また、制御ユニット１９０Ａは、デジタル放送波の受信品質が良好でないときには、再生出力する放送として「アナログ放送」を選択する。さらに、制御ユニット１９０Ａは、デジタル放送処理信号ＤＢＤのレベル値ＤＬＶが、アナログ放送処理信号ＡＢＤのレベル値ＡＬＶに比べて、所定割合以上低下しているとき、すなわち、放送局側の誤りにより、デジタル放送が「無音」であるときには、デジタル放送波の受信品質が良好であっても、再生出力する放送として「アナログ放送」を選択する。
【００６７】
このため、送信側の不具合によりアナログラジオ放送とデジタルラジオ放送とでサイマルとなっていない放送を受信処理した際に、無音状態が突然出現することによる聴取者の聴感上の違和感を無くすことができる。
【００６８】
したがって、第１実施形態によれば、サイマル放送として放送される放送波を受信し、適切な受信処理を行うことができる。
【００６９】
［第２実施形態］
次に、本発明の第２実施形態を、図４〜図６を主に参照して説明する。
【００７０】
＜構成＞
図４には、第２実施形態に係る放送受信装置１００Ｂの概略的な構成がブロック図にて示されている。第２実施形態では、上述した第１実施形態の場合と同様に、車両内に配置され、ＩＢＯＣ方式の規格に準拠したアナログ／デジタル放送波を受信して処理する放送受信装置を例示して説明する。
【００７１】
図４に示されるように、放送受信装置１００Ｂは、上述した第１実施形態に係る放送受信装置１００Ａ（図１参照）と比べて、再生処理ユニット１３０Ａに代えて再生処理ユニット１３０Ｂを備える点、及び、制御ユニット１９０Ａに代えて制御ユニット１９０Ｂを備える点が異なっている。以下、こうした相違点に主に着目して説明する。
【００７２】
上記の再生処理ユニット１３０Ｂは、上述した再生処理ユニット１３０Ａと比べて、アナログ放送波の再生信号とデジタル放送波の再生信号との相関の有無を更に検出する点が異なっている。再生処理ユニット１３０Ｂの構成の詳細については、後述する。
【００７３】
上記の制御ユニット１９０Ｂは、放送受信装置１００Ｂの全体の動作を制御する。この制御ユニット１９０Ｂは、上述した制御ユニット１９０Ａと同様に、入力ユニット１８０から送られた入力データＩＰＤの内容が選局指定であった場合には、指定された希望放送局に対応する選局指令ＣＳＬAを生成して、ＲＦ処理ユニット１２０Ａへ送る。また、入力データＩＰＤの内容が音量調整指定であった場合には、制御ユニット１９０Ｂは、指定された音量調整指定に対応する音量調整指令ＶＬＣを生成して、アナログ処理ユニット１４０へ送る。
【００７４】
制御ユニット１９０Ｂは、上述した制御ユニット１９０Ａと同様に、再生処理ユニット１３０Ｂから送られたビットエラー率ＢＥＲ、レベル値ＡＬＶ及びレベル値ＤＬＶを受ける。さらに、制御ユニット１９０Ｂは、再生処理ユニット１３０Ｂから送られたアナログ放送処理信号とデジタル放送処理信号との相関を示す相関評価結果ＣＯＲを受けて、当該相関の有無を検出する。そして、制御ユニット１９０Ｂは、ビットエラー率ＢＥＲ、レベル値ＡＬＶ，ＤＬＶ、並びに、当該相関の有無に基づいて、放送選択制御指令ＢＳＬを生成して再生処理ユニット１３０Ｂへ送ることにより、再生出力選択制御を行う。
【００７５】
すなわち、制御ユニット１９０Ｂは、制御部及び第３検出部の一部の機能を果たすようになっている。制御ユニット１９０Ｂが実行する再生出力選択制御の処理の詳細については、後述する。
【００７６】
《再生処理ユニット１３０Ｂの構成》
次に、再生処理ユニット１３０Ｂの構成について説明する。
【００７７】
再生処理ユニット１３０Ｂは、図５に示されるように、上述した再生処理ユニット１３０Ａ（図２参照）と比べて、相関評価部１３４を更に備える点が異なっている。
【００７８】
上記の相関評価部１３４は、アナログ放送処理部１３１Ａから送られた信号ＡＢＤを受けるとともに、デジタル放送処理部１３２Ａから送られた信号ＤＢＤを受ける。そして、相関評価部１３４は、信号ＡＢＤと信号ＤＢＤとの間の相関の評価を行う。ここで、第２実施形態においては、相関の評価は、周知の相関係数を用いて行う。
【００７９】
この相関係数は、「−１」から「１」までの範囲の値をとる。そして、信号ＡＢＤと信号ＤＢＤとの間の相関が強ければ「１」に近い値をとり、信号ＡＢＤと信号ＤＢＤとの間の相関が弱ければ「０」に近い値をとる。相関評価部１３４は、評価した相関係数の値を、相関評価結果ＣＯＲとして、制御ユニット１９０Ｂへ送る。
【００８０】
＜動作＞
以上のようにして構成された放送受信装置１００Ｂの動作について、制御ユニット１９０Ｂによる再生出力放送の選択制御処理に主に着目して説明する。
【００８１】
なお、第２実施形態では、上述した第１実施形態の場合と同様に、サイマル放送を行っているとされるアナログ放送とデジタル放送とで、放送番組の内容が異なっている場合には、アナログ放送の内容が正しく、放送局側の誤りによりデジタル放送の内容が間違っているものとする。
【００８２】
第２実施形態における再生出力放送の選択制御処理は、利用者による「サイマル放送を行っているとされる希望放送局」を指定した選局指定の入力ユニット１８０への入力に対応して開始される。こうして希望放送局を指定した選局指定が入力ユニット１８０へ入力されると、上述した放送受信装置１００Ａの場合と同様に、アナログ放送処理部１３１Ａが、信号ＡＢＤを生成する。また、デジタル放送処理部１３２Ａが、ビットエラー率ＢＥＲを検出するとともに、信号ＤＢＤを生成する（図５参照）。
【００８３】
そして、アナログ放送処理部１３１Ａは、生成された信号ＡＢＤを、選択部１３５、レベル検出部１３３及び相関評価部１３４へ送る。また、デジタル放送処理部１３２Ａは、生成された信号ＤＢＤを、選択部１３５、レベル検出部１３３及び相関評価部１３４へ送るとともに、検出されたビットエラー率ＢＥＲを、制御ユニット１９０Ｂへ送る（図５参照）。
【００８４】
また、レベル検出部１３３は、上述した第１実施形態の場合と同様に、信号ＡＢＤのパワーレベルを検出して、レベル値ＡＬＶを制御ユニット１９０Ｂへ送るとともに、信号ＤＢＤのパワーレベルを検出して、レベル値ＤＬＶを制御ユニット１９０Ｂへ送る（図５参照）。
【００８５】
さらに、相関評価部１３４が、信号ＡＢＤと信号ＤＢＤとの間の相関の評価を行う。そして、相関評価部１３４は、相関評価結果ＣＯＲを制御ユニット１９０Ｂへ送る（図５参照）。
【００８６】
このような状況のもとで、図６に示されるように、ステップＳ２１及びＳ２２において、上述した図３におけるステップＳ１１及びＳ１２の処理と、同様の処理が行われる。
【００８７】
そして、ステップＳ２２における判定の結果が肯定的であった場合（ステップＳ２２：Ｙ）には、処理はステップＳ２３へ進む。このステップＳ２３では、制御ユニット１９０Ｂが、相関評価部１３４から送られた相関評価結果ＣＯＲに基づいて、デジタル放送処理信号ＤＢＤとアナログ放送処理信号ＡＢＤとの間に、相関があるか否かを判定する。この判定の結果が肯定的であった場合（ステップＳ２３：Ｙ）には、処理はステップＳ２４へ進む。
【００８８】
ここで、信号ＤＢＤと信号ＡＢＤとの間に相関があるか否かの閾値は、実験、シミュレーション、経験等に基づいて、予め定められる。例えば、相関係数が「０．７」以上の場合を当該相関があると判定し、相関係数が「０．７」未満の場合を当該相関がないと判定することができる。
【００８９】
ステップＳ２４では、制御ユニット１９０Ｂが、上述した図３におけるステップＳ１４の処理と同様に、現時点の再生出力放送の選択が「デジタル放送」であるか否かを判定する。この判定の結果が否定的であった場合（ステップＳ２４：Ｎ）には、処理はステップＳ２５へ進む。このステップＳ２５では、制御ユニット１９０Ｂが、上述した図３におけるステップＳ１５の処理と同様に、再生出力する放送として「デジタル放送」を選択する。この後、処理はステップＳ２１へ戻る。また、ステップＳ２４における判定の結果が肯定的であった場合（ステップＳ２４：Ｙ）にも、処理はステップＳ２１へ戻る。
【００９０】
一方、上述したステップＳ２１における判定の結果が否定的であった場合（ステップＳ２１：Ｎ）には、処理はステップＳ２６へ進む。また、上述したステップＳ２２における判定の結果が否定的であった場合（ステップＳ２２：Ｎ）にも、処理はステップＳ２６へ進む。
【００９１】
さらに、上述したステップＳ２３における判定の結果が否定的であった場合（ステップＳ２３：Ｎ）には、処理はステップＳ２６へ進む。すなわち、デジタル放送波の受信品質は良好ではあり、かつ、デジタル放送が「有音」ではあるが、信号ＡＢＤと信号ＤＢＤとの間に相関がなく、アナログ放送とデジタル放送とで、放送番組の内容が異なっていると認定された場合にも、再生出力する放送として「デジタル放送」を選択しない。
【００９２】
ステップＳ２６では、制御ユニット１９０Ｂが、上述した図３におけるステップＳ１６の処理と同様に、現時点の再生出力放送の選択が「アナログ放送」であるか否かを判定する。この判定の結果が否定的であった場合（ステップＳ２６：Ｎ）には、処理はステップＳ２７へ進む。このステップＳ２７では、制御ユニット１９０Ｂが、上述した図３におけるステップＳ１７の処理と同様に、再生出力する放送として「アナログ放送」を選択する。この後、処理はステップＳ２１へ戻る。また、ステップＳ２６における判定の結果が肯定的であった場合（ステップＳ２６：Ｙ）にも、処理はステップＳ２１へ戻る。
【００９３】
以後、上記のステップＳ２１〜Ｓ２７の処理が繰り返されて、第２実施形態における再生出力放送の選択制御処理が行われる。
【００９４】
以上説明したように、第２実施形態では、アンテナ１１０Ａが、ＩＢＯＣ方式の規格に準拠したアナログ／デジタルラジオ放送波を受信する。そして、アナログ放送処理部１３１Ａが、アナログ放送成分に対する再生処理を行い、アナログ放送処理信号ＡＢＤを生成する。また、デジタル放送処理部１３２Ａが、デジタル放送成分に対する再生処理を行い、デジタル放送処理信号ＤＢＤを生成するとともに、デジタル放送波の受信品質を示すビットエラー率ＢＥＲを検出する。そして、レベル検出部１３３が、アナログ放送処理信号ＡＢＤのレベル値ＡＬＶ、及び、デジタル放送処理信号ＤＢＤのレベル値ＤＬＶを検出する。また、相関評価部１３４が、アナログ放送処理信号ＡＢＤとデジタル放送処理信号ＤＢＤとの相関を評価する。
【００９５】
このような状況のもとで、制御ユニット１９０Ｂが、ビットエラー率ＢＥＲに基づいて、デジタル放送波の受信品質を評価する。そして、制御ユニット１９０Ｂは、（ｉ）デジタル放送波の受信品質が良好であり、かつ、（ii）デジタル放送処理信号ＤＢＤのレベル値ＤＬＶが、アナログ放送処理信号ＡＢＤのレベル値ＡＬＶに比べて、所定割合以上、低下していなく、さらに、（iii）アナログ放送処理信号ＡＢＤとデジタル放送処理信号ＤＢＤとの間に相関があるときには、再生出力する放送として「デジタル放送」を選択する。
【００９６】
また、制御ユニット１９０Ｂは、デジタル放送波の受信品質が良好でないときには、再生出力する放送として「アナログ放送」を選択する。さらに、制御ユニット１９０Ｂは、デジタル放送処理信号ＤＢＤのレベル値ＤＬＶが、アナログ放送処理信号ＡＢＤのレベル値ＡＬＶに比べて、所定割合以上低下しているとき、すなわち、放送局側の誤りにより、デジタル放送が「無音」であるときには、デジタル放送波の受信品質が良好であっても、再生出力する放送として「アナログ放送」を選択する。
【００９７】
また、制御ユニット１９０Ｂは、アナログ放送処理信号ＡＢＤとデジタル放送処理信号ＤＢＤとの間に相関がないときには、デジタル放送波の受信品質が良好であり、かつ、デジタル放送が「有音」であっても、再生出力する放送として「アナログ放送」を選択する。
【００９８】
このため、送信側の不具合によりアナログラジオ放送とデジタルラジオ放送とでサイマルとなっていない放送を受信処理した際に、異なる内容の再生音声が突然出力されたり、無音状態が突然出現すること等による聴取者の聴感上の違和感を無くすことができる。
【００９９】
したがって、第２実施形態によれば、上述した第１実施形態と同様に、サイマル放送として放送される放送波を受信し、適切な受信処理を行うことができる。
【０１００】
［第３実施形態］
次いで、本発明の第３実施形態を、図７〜図９を主に参照して説明する。
【０１０１】
＜構成＞
図７には、第３実施形態に係る放送受信装置１００Ｃの概略的な構成がブロック図にて示されている。第３実施形態では、車両内に配置され、同一放送局から送信されるアナログ放送波、及び、ＤＡＢ方式の規格に準拠したデジタル放送波を受信して処理する放送受信装置を例示して説明する。
【０１０２】
図７に示されるように、放送受信装置１００Ｃは、上述した第２実施形態に係る放送受信装置１００Ｂ（図４参照）と比べて、アンテナ１１０Ａに代えてアンテナ１１０Ｃ1，１１０Ｃ2を備える点、ＲＦ処理ユニット１２０Ａに代えてＲＦ処理ユニット１２０Ｃ1，１２０Ｃ2を備える点、再生処理ユニット１３０Ａに代えて再生処理ユニット１３０Ｃを備える点、及び、制御ユニット１９０Ａに代えて制御ユニット１９０Ｃを備える点が異なっている。以下、こうした相違点に主に着目して説明する。
【０１０３】
なお、第３実施形態では、入力ユニット１８０への選局指定の入力は、デジタル放送の選局指定となっており、アナログ放送の選局指定は行われないようになっている。
【０１０４】
上記のアンテナ１１０Ｃ1は、放送局から送信されているアナログ放送波を受信する。アンテナ１１０Ｃ1による受信信号ＲＦＳC1は、ＲＦ処理ユニット１２０Ｃ1へ送られる。
【０１０５】
上記のアンテナ１１０Ｃ2は、同一の放送局から送信されているＤＡＢ方式の規格に準拠したデジタル放送波を受信する。アンテナ１１０Ｃ2による受信信号ＲＦＳC2は、ＲＦ処理ユニット１２０Ｃ2へ送られる。
【０１０６】
第３実施形態では、デジタル放送波が第１放送波に対応し、アナログ放送波が第２放送波に対応している。
【０１０７】
上記のＲＦ処理ユニット１２０Ｃ1は、アンテナ１１０Ｃ1から送られたアナログ放送波の受信信号ＲＦＳC1を受ける。ＲＦ処理ユニット１２０Ｃ1は、制御ユニット１９０Ｃから送られた選局指令ＣＳＬC1に従って、選局すべき希望放送局の信号を受信信号ＲＦＳC1から抽出する選局処理を行い、所定の中間周波数帯の成分を有する中間周波信号ＩＦＤC1に変換する。こうして得られた中間周波信号ＩＦＤC1（以下、単に「信号ＩＦＤC1」とも記す）は、再生処理ユニット１３０Ｃで送られる。ここで、信号ＩＦＤC1は、デジタル信号となっている。
【０１０８】
上記のＲＦ処理ユニット１２０Ｃ2は、アンテナ１１０Ｃ2から送られたデジタル放送波の受信信号ＲＦＳC2を受ける。ＲＦ処理ユニット１２０Ｃ2は、制御ユニット１９０Ｃから送られた選局指令ＣＳＬC2に従って、選局すべき希望放送局の信号を受信信号ＲＦＳC2から抽出する選局処理を行い、所定の中間周波数帯の成分を有する中間周波信号ＩＦＤC2に変換する。こうして得られた中間周波信号ＩＦＤC2（以下、単に「信号ＩＦＤC2」とも記す）は、再生処理ユニット１３０Ｃで送られる。ここで、信号ＩＦＤC2は、デジタル信号となっている。
【０１０９】
上記の再生処理ユニット１３０Ｃは、ＲＦ処理ユニット１２０Ｃ1から送られる信号ＩＦＤC1を受けるとともに、ＲＦ処理ユニット１２０Ｃ2から送られる信号ＩＦＤC2を受ける。そして、再生処理ユニット１３０Ｃは、信号ＩＦＤC1に対する再生処理を行うとともに、信号ＩＦＤC2に対する再生処理を行う。引き続き、再生処理ユニット１３０Ｃは、制御ユニット１９０Ｃによる制御のもとで、アナログ放送波の再生信号及びデジタル放送波の再生信号のいずれか一方を、信号ＢＰＤとして、アナログ処理ユニット１４０へ供給する。
【０１１０】
再生処理ユニット１３０Ｃの構成の詳細については、後述する。
【０１１１】
上記の制御ユニット１９０Ｃは、放送受信装置１００Ｃの全体の動作を制御する。この制御ユニット１９０Ｃは、上述した制御ユニット１９０Ｂと同様に、入力ユニット１８０から送られた入力データＩＰＤの内容が音量調整指定であった場合には、指定された音量調整指定に対応する音量調整指令ＶＬＣを生成して、アナログ処理ユニット１４０へ送る。
【０１１２】
また、制御ユニット１９０Ｃは、入力ユニット１８０から送られた入力データＩＰＤの内容が選局指定であった場合には、指定された希望放送局のデジタル放送に対応する選局指令ＣＳＬC2を生成して、ＲＦ処理ユニット１２０Ｃ2へ送る。さらに、制御ユニット１９０Ｃは、再生処理ユニット１３０Ｃから送られた信号ＤＦＤを受けると、信号ＤＦＤに含まれるアナログ放送周波数情報ＦＩに対応する選局指令ＣＳＬC1を生成して、ＲＦ処理ユニット１２０Ｃ1へ送る。なお、第３実施形態では、上述したように、入力ユニット１８０によるアナログ放送の選局指定は行われないようになっている。
【０１１３】
制御ユニット１９０Ｃは、再生処理ユニット１３０Ｃから、デジタル放送波の受信品質を示すビットエラー率ＢＥＲ、アナログ放送処理信号のレベル値ＡＬＶ及びデジタル放送処理信号のレベル値ＤＬＶを受ける。また、制御ユニット１９０Ｃは、アナログ放送処理信号とデジタル放送処理信号との相関を示す相関評価結果ＣＯＲを受けて、当該相関の有無を検出する。そして、制御ユニット１９０Ｃは、ビットエラー率ＢＥＲ、レベル値ＡＬＶ，ＤＬＶ、並びに、当該相関の有無に基づいて、放送選択制御指令ＢＳＬを生成して再生処理ユニット１３０Ｃへ送ることにより、再生出力選択制御を行う。
【０１１４】
すなわち、制御ユニット１９０Ｃは、制御部及び第３検出部の一部の機能を果たすようになっている。制御ユニット１９０Ｃが実行する再生出力選択制御の処理の詳細については、後述する。
【０１１５】
《再生処理ユニット１３０Ｃの構成》
次に、再生処理ユニット１３０Ｃの構成について説明する。
【０１１６】
再生処理ユニット１３０Ｃは、図８に示されるように、上述した再生処理ユニット１３０Ｂ（図５参照）と比べて、アナログ放送処理部１３１Ａに代えてアナログ放送処理部１３１Ｃを備える点、デジタル放送処理部１３２Ａに代えてデジタル放送処理部１３２Ｃを備える点が異なっている。
【０１１７】
上記のアナログ放送処理部１３１Ｃは、検波部と、ステレオ復調部とを備えている（いずれも不図示）。
【０１１８】
検波部は、ＲＦ処理ユニット１２０Ｃ1から送られた信号ＩＦＤC1を受ける。そして、検波部は、信号ＩＦＤC1に対して、所定の方式で検波処理を施して、検波信号を生成する。こうして生成された検波信号は、ステレオ復調部へ送られる。
【０１１９】
ステレオ復調部は、検波部から送られた検波信号を受ける。そして、ステレオ復調部は、検波信号に対してステレオ復調処理を施し、信号ＡＢＤを生成する。ステレオ復調部は、生成された信号ＡＢＤ（第２再生信号）を、選択部１３５及びレベル検出部１３３、並びに、相関評価部１３４へ送る。
【０１２０】
このように、アナログ放送処理部１３１Ｃは、第２生成部の機能を果たすようになっている
【０１２１】
上記のデジタル放送処理部１３２Ｃは、ＯＦＤＭ復調部と、デコード部とを備えている（いずれも不図示）。
【０１２２】
ＯＦＤＭ復調部は、ＲＦ処理ユニット１２０Ｃ2から送られた信号ＩＦＤC2を受ける。そして、ＯＦＤＭ復調部は、信号ＩＦＤC2に対して、ＯＦＤＭ復調処理を施して、ＯＦＤＭ復調信号を生成する。こうして生成されたＯＦＤＭ復調信号は、デコード部へ送られる。
【０１２３】
デコード部は、ＯＦＤＭ復調部から送られたＯＦＤＭ復調信号を受ける。そして、デコード部は、ＯＦＤＭ復調信号に対して復号処理を行う。この復号に際して、デコード部は、ＯＦＤＭ復調信号に対して符号の誤り検出を行ったうえで誤り訂正を行う。デコード部は、当該誤り訂正の結果に含まれる音声の復号結果を、信号ＤＢＤ（第１再生信号）として、選択部１３５及びレベル検出部１３３、並びに、相関評価部１３４へ送る。また、デコード部は、当該誤り検出の結果であるビットエラー率ＢＥＲを、制御ユニット１９０Ｃへ送る。
【０１２４】
また、デコード部は、当該誤り訂正の結果に含まれる音声以外の情報復号結果を、信号ＤＦＤとして制御ユニット１９０Ｃへ送る。この信号ＤＦＤに含まれる情報としては、アナログ放送周波数情報ＦＩがある。このアナログ放送周波数情報ＦＩは、ＤＡＢ方式によるデジタル放送を行っている放送局が、デジタル放送の補完として、当該デジタル放送と同一番組をサイマル放送として放送するアナログ放送波の周波数情報である。
【０１２５】
このように、デジタル放送処理部１３２Ｃは、第１生成部及び第２検出部の機能を果たすようになっている。
【０１２６】
＜動作＞
以上のようにして構成された放送受信装置１００Ｃの動作について、制御ユニット１９０Ｃによる再生出力放送の選択制御処理に主に着目して説明する。
【０１２７】
なお、第３実施形態では、サイマル放送を行っているとされるアナログ放送とデジタル放送とで、放送番組の内容が異なっている場合には、デジタル放送の内容が正しく、放送局側の誤りにより、アナログ放送波の周波数を示したアナログ放送周波数情報ＦＩの内容が間違っているものとする。
【０１２８】
また、当初においては、デジタル放送波の受信品質は良好なものとする。
【０１２９】
第３実施形態における再生出力放送の選択制御処理は、利用者による「サイマル放送を行っているとされるデジタル放送の希望放送局」を指定した選局指定の入力ユニット１８０への入力に対応して開始される。こうして希望放送局を指定した選局指定が入力ユニット１８０へ入力されると、制御ユニット１９０Ｃは、希望放送局のデジタル放送に対応する選局指令ＣＳＬC2を生成して、ＲＦ処理ユニット１２０Ｃ2へ送る（図７参照）。
【０１３０】
ＲＦ処理ユニット１２０Ｃ2は、当該選局指令ＣＳＬC2を受けると、希望放送局のデジタル放送の信号を受信信号ＲＦＳC2から抽出する選局処理を行い、所定の中間周波数帯の成分を有する信号ＩＦＤC2に変換する。そして、ＲＦ処理ユニット１２０Ｃ2は、当該信号ＩＦＤC2を、再生処理ユニット１３０Ｃのデジタル放送処理部１３２Ｃへ送る（図８参照）。
【０１３１】
デジタル放送処理部１３２Ｃは、ＲＦ処理ユニット１２０Ｃ2から送られた信号ＩＦＤC2に対する再生処理を行い、ビットエラー率ＢＥＲを検出するとともに、信号ＤＢＤ，ＤＦＤを生成する。そして、デジタル放送処理部１３２Ｃは、生成された信号ＤＢＤを、選択部１３５、レベル検出部１３３及び相関評価部１３４へ送るとともに、検出されたビットエラー率ＢＥＲ及び信号ＤＦＤを、制御ユニット１９０Ｃへ送る（図８参照）。
【０１３２】
制御ユニット１９０Ｃは、デジタル放送処理部１３２Ｃから送られた信号ＤＦＤを受けると、信号ＤＦＤに含まれるアナログ放送周波数情報ＦＩを読み取る。そして、制御ユニット１９０Ｃは、当該アナログ放送周波数情報ＦＩに対応する選局指令ＣＳＬC1を生成して、ＲＦ処理ユニット１２０Ｃ1へ送る（図７参照）。
【０１３３】
ＲＦ処理ユニット１２０Ｃ1は、当該選局指令ＣＳＬC1を受けると、希望放送局のアナログ放送の信号を受信信号ＲＦＳC1から抽出する選局処理を行い、所定の中間周波数帯の成分を有する信号ＩＦＤC1に変換する。そして、ＲＦ処理ユニット１２０Ｃ1は、当該信号ＩＦＤC1を、再生処理ユニット１３０Ｃのアナログ放送処理部１３１Ｃへ送る（図８参照）。
【０１３４】
アナログ放送処理部１３１Ｃは、ＲＦ処理ユニット１２０Ｃ1から送られた信号ＩＦＤC1に対する再生処理を行い、信号ＡＢＤを生成する。そして、アナログ放送処理部１３１Ｃは、生成された信号ＡＢＤを、選択部１３５、レベル検出部１３３及び相関評価部１３４へ送る（図８参照）。
【０１３５】
また、レベル検出部１３３は、上述した第２実施形態の場合と同様に、信号ＡＢＤのパワーレベルを検出して、レベル値ＡＬＶを制御ユニット１９０Ｃへ送るとともに、信号ＤＢＤのパワーレベルを検出して、レベル値ＤＬＶを制御ユニット１９０Ｃへ送る（図８参照）。
【０１３６】
さらに、相関評価部１３４が、上述した第２実施形態の場合と同様に、信号ＡＢＤと信号ＤＢＤとの間の相関の評価を行う。そして、相関評価部１３４は、相関評価結果ＣＯＲを制御ユニット１９０Ｃへ送る（図８参照）。
【０１３７】
このような状況のもとで、図９に示されるように、まず、ステップＳ３１において、制御ユニット１９０Ｃが、レベル検出部１３３から送られたレベル値ＡＬＶ，ＤＬＶに基づいて、アナログ放送処理信号ＡＢＤのレベルがデジタル放送処理信号ＤＢＤのレベルと同程度であるか否かを判定する。この判定の結果が肯定的であった場合（ステップＳ３１：Ｙ）には、処理はステップＳ３２へ進む。
【０１３８】
ステップＳ３２では、制御ユニット１９０Ｃが、上述した図６におけるステップＳ２３の処理と同様に、相関評価部１３４から送られた相関評価結果ＣＯＲに基づいて、デジタル放送処理信号ＤＢＤとアナログ放送処理信号ＡＢＤとの間に、相関があるか否かを判定する。この判定の結果が肯定的であった場合（ステップＳ３２：Ｙ）には、処理はステップＳ３３へ進む。
【０１３９】
ステップＳ３３では、制御ユニット１９０Ｃが、デジタル放送処理部１３２Ｃから送られたビットエラー率ＢＥＲに基づいて、デジタル放送波の受信品質を評価する。そして、制御ユニット１９０Ｃは、デジタル放送波の受信品質が所定の値未満であるか否かを判断することにより、デジタル放送波の受信品質が不良であるか否かを判定する。この判定の結果が肯定的であった場合（ステップＳ３３：Ｙ）には、処理はステップＳ３４へ進む。
【０１４０】
ステップＳ３４では、制御ユニット１９０Ｃが、現時点の再生出力放送の選択が「アナログ放送」であるか否かを判定する。この判定の結果が否定的であった場合（ステップＳ３４：Ｎ）には、処理はステップＳ３５へ進む。このステップＳ３５では、制御ユニット１９０Ｃが、再生出力する放送として「アナログ放送」を選択する。この後、処理はステップＳ３１へ戻る。また、ステップＳ３４における判定の結果が肯定的であった場合（ステップＳ３４：Ｙ）にも、処理はステップＳ３１へ戻る。
【０１４１】
一方、上述したステップＳ３１における判定の結果が否定的であった場合（ステップＳ３１：Ｎ）、及び、上述したステップＳ３２における判定の結果が否定的であった場合（ステップＳ３２；Ｎ）、すなわち、アナログ放送が「無音」、又は、アナログ放送は「有音」であるが、デジタル放送とアナログ放送とで番組内容が異なっている場合にも、処理はステップＳ３５へ進む。
【０１４２】
また、上述したステップＳ３３における判定の結果が否定的であった場合（ステップＳ３６：Ｎ）にも、処理はステップＳ３６へ進む。
【０１４３】
ステップＳ３６では、制御ユニット１９０Ｃが、現時点の再生出力放送の選択が「デジタル放送」であるか否かを判定する。この判定の結果が否定的であった場合（ステップＳ３６：Ｎ）には、処理はステップＳ３７へ進む。このステップＳ３７では、制御ユニット１９０Ｃが、再生出力する放送として「デジタル放送」を選択する。この後、処理はステップＳ３１へ戻る。また、ステップＳ３６における判定の結果が肯定的であった場合（ステップＳ３６：Ｙ）にも、処理はステップＳ３１へ戻る。
【０１４４】
以後、上記のステップＳ３１〜Ｓ３７の処理が繰り返されて、第３実施形態における再生出力放送の選択制御処理が行われる。
【０１４５】
以上説明したように、第３実施形態では、アンテナ１１０Ｃ2がＤＡＢ方式の規格に準拠したデジタルラジオ放送波を受信し、アンテナ１１０Ｃ2がアナログラジオ放送波を受信する。そして、アナログ放送処理部１３１Ｃが、アナログ放送成分に対する再生処理を行い、アナログ放送処理信号ＡＢＤを生成する。また、デジタル放送処理部１３２Ｃが、デジタル放送成分に対する再生処理を行い、デジタル放送処理信号ＤＢＤを生成するとともに、デジタル放送波の受信品質を示すビットエラー率ＢＥＲを検出する。そして、レベル検出部１３３が、アナログ放送処理信号ＡＢＤのレベル値ＡＬＶ、及び、デジタル放送処理信号ＤＢＤのレベル値ＤＬＶを検出する。また、相関評価部１３４が、アナログ放送処理信号ＡＢＤとデジタル放送処理信号ＤＢＤとの相関を評価する。
【０１４６】
このような状況のもとで、制御ユニット１９０Ｃは、（iv）アナログ放送処理信号ＡＢＤのレベルがデジタル放送処理信号ＤＢＤのレベルと同程度であり、かつ、（v）アナログ放送処理信号ＡＢＤとデジタル放送処理信号ＤＢＤとの間に相関があるときには、アナログ放送を、デジタル放送の補完として採用する。また、制御ユニット１９０Ｃは、アナログ放送処理信号ＡＢＤのレベルがデジタル放送処理信号ＤＢＤのレベルと同程度ではないときや、アナログ放送処理信号ＡＢＤとデジタル放送処理信号ＤＢＤとに間に相関がないとき、すなわち、放送局側の誤りにより、アナログ放送周波数情報ＦＩの内容が間違っているときには、アナログ放送を、デジタル放送の補完として採用しない。
【０１４７】
このため、送信側の不具合によりアナログラジオ放送とデジタルラジオ放送とでサイマルとなっていない放送を受信処理した際に、異なる内容の再生音声が突然出力されたり、無音状態が突然出現すること等による聴取者の聴感上の違和感を無くすことができる。
【０１４８】
したがって、第３実施形態によれば、サイマル放送として放送される放送波を受信し、適切な受信処理を行うことができる。
【０１４９】
［実施形態の変形］
本発明は、上記の実施形態に限定されるものではなく、様々な変形が可能である。
【０１５０】
例えば、上記の第１及び第２実施形態では、サイマル放送を行っているとされるアナログ放送とデジタル放送とで、放送番組の内容が異なっている場合には、アナログ放送の内容が正しく、放送局側の誤りによりデジタル放送の内容が間違っているものとした。そして、アナログ放送とデジタル放送とで、放送番組の内容が異なっている場合は、アナログ放送を選択するようにした。
【０１５１】
これに対して、サイマル放送を行っているとされるアナログ放送とデジタル放送とで、放送番組の内容が異なっている場合に、デジタル放送の内容が正しく、アナログ放送の内容が間違っていることが想定されるときには、放送番組の内容が異なっている場合に、デジタル放送を選択するようにしてもよい。
【０１５２】
また、上記の第３実施形態では、アナログ放送処理信号のレベルがデジタル放送処理信号のレベルと同程度であり、かつ、アナログ放送処理信号とデジタル放送処理信号との間に相関があるときには、アナログ放送を、デジタル放送の補完として採用することとした。これに対して、アナログ放送処理信号のレベルがデジタル放送処理信号のレベルと同程度であると判定されたときに、アナログ放送を、デジタル放送の補完として採用するようにしてもよい。この場合には、第３実施形態に係る放送受信装置の構成として、再生処理ユニットにおける相関評価部を省略することができる。
【０１５３】
また、上記の第１〜第３実施形態では、デジタル放送の復号処理の際に検出したビットエラー率に基づいて、デジタル放送波の受信品質を評価した。これに対して、受信したデジタル放送波に基づく信号のＣＮＲ（Carrier to Noise Ratio）を検出して、当該ＣＮＲに基づいて、デジタル放送波の受信品質を評価するようにしてもよい。
【０１５４】
また、上記の第１〜第３実施形態では、アナログ放送波を周波数変調（ＦＭ）放送波としたが、アナログ放送波は振幅変調（ＡＭ）放送波であってもよい。
【０１５５】
また、上記の第１及び第２実施形態では、ＩＢＯＣ方式のサイマル放送に本発明を適用したが、他の方式のサイマル放送に本発明を適用することができる。
【０１５６】
また、上記の第３実施形態では、ＤＡＢ方式のデジタル放送に本発明を適用したが、他の方式のデジタル放送に本発明を適用することができる。
【０１５７】
また、上記の第１〜第３実施形態では、ラジオ放送に本発明を適用したが、例えば、テレビジョン放送に本発明を適用することができる。
【０１５８】
また、上記の第１〜第３実施形態においては、車両に搭載される放送受信装置に本発明を適用したが、車両以外の他の移動体に配置される放送受信装置にも本発明を適用することもできるし、スマートフォン等の携帯端末装置に配置される放送受信装置にも本発明を適用することができる。
【０１５９】
なお、上記の制御ユニットの一部又は全部を中央処理装置（ＣＰＵ：Central Processing Unit）等を備えた演算手段としてのコンピュータとして構成し、予め用意されたプログラムを当該コンピュータで実行することにより、上記の実施形態における制御ユニットの機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１６０】
１００Ａ〜１００Ｃ  …  放送受信装置
１３１Ａ，１３１Ｃ  …  アナログ放送処理部（第２生成部）
１３２Ａ，１３２Ｃ  …  デジタル放送処理部（第１生成部、第２検出部）
１３３              …  レベル検出部（第１検出部）
１３４              …  相関評価部（第３検出部の一部）
１３５              …  選択部（出力部）
１９０Ａ            …  制御ユニット（制御部）
１９０Ｂ，１９０Ｃ  …  制御ユニット（制御部、第３検出部の一部）
【図１】
2014204189.tif 000003
【図２】
2014204189.tif 000004
【図３】
2014204189.tif 000005
【図４】
2014204189.tif 000006
【図５】
2014204189.tif 000007
【図６】
2014204189.tif 000008
【図７】
2014204189.tif 000009
【図８】
2014204189.tif 000010
【図９】
2014204189.tif 000011